(57)【要約】      （修正有）【課題】人形を備えた携帯機器のケースと、携帯機器とを合わせることで、豊かな表情を演出し、極めて高い娯楽性と、使い勝手に優れた携帯機器の装飾ケースを提供する。【解決手段】携帯機器３の背面と上下左右の周壁を覆い被せて装着し得るように箱状に形成されたケース本体１と、該ケース本体の底部に人形部２を備えることで、該ケース本体に携帯機器を装着したときに、胴体としての人形部と、ケース本体に装着された頭部としての携帯機器とで、１つの完成された人形としての意匠を表すことになり、極めて面白く注目度の高い携帯機器の装飾ケースを実現した。【選択図】図１
0003164730.tif 000002
【実用新案登録請求の範囲】
【請求項１】
携帯機器の背面と上下左右の周壁を覆い被せて装着し得るように箱状に形成されたケース本体と、該ケース本体の底部に人形部を備えたことを特徴とする携帯機器の装飾ケース。
【請求項２】
該ケース本体の底部に備えられた該人形部は薄板状であることを特徴とする請求項１に記載の携帯機器の装飾ケース。
【請求項３】
該ケース本体の底部に備えられた該人形部は立体状であることを特徴とする請求項１に記載の携帯機器の装飾ケース。
【請求項４】
該ケース本体の底部に備えられた該人形部は、該ケース本体と一体成形、該ケース本体とは別体で成形し該ケースの成型時に二重成形、該ケース本体とは別体で成形し該ケース本体に備えられた穴や溝に差し込む、の何れかの手段で備えたことを特徴とする請求項１、請求項２、請求項３の何れかに記載の携帯機器の装飾ケース。
【請求項５】
携帯機器の背面と上下左右の周壁を覆い被せて装着し得るように箱状に形成されたケース本体と、該ケース本体の底部には人形部を備えるとともに、該ケース本体に装着された携帯機器に、顔のイラストや写真などのスチール画像、あるいはアニメーションやムービーなどのシネ画像の何れかの顔画像ファイルを格納し、該ケース本体に該携帯機器を装着した状態で、該顔画像を携帯機器のディスプレイに表示することを特徴とする請求項１、請求項２、請求項３、請求項４の何れかに記載の携帯機器の装飾ケース。
【考案の詳細な説明】
【技術分野】
【０００１】  本考案は、携帯電話機、スマートフォン、デジタル音楽プレイヤーなどの携帯機器のケースで、特に装飾を目的としたケースに関する。
【背景技術】
【０００２】  従来、携帯電話機を収納したり保護したりするためのケースが製品化されている。これらのケースは、単に携帯電話機を収納するタイプや、動物を模した形態としたタイプなどが製品化されている。例えば、実用新案登録第３０４１８２９号公報（特許文献１）に開示された「移動電話機用の携帯ケース」は、動物またはキャラクター風の意匠的外観を呈する袋体状の縫い包みケースにより移動電話機を包着収納させて、外見上の面白味、楽しみ、可愛らしさを発揮させることができるようにしたものである。また、実用新案登録第３０６６５２９号公報（特許文献２）に開示された「携帯電話機用カバー」は、当該公報の図１に示されるように、動物や仮想人物など任意の外観体裁を具えたぬいぐるみ状のカバーの内部に携帯電話機を収納できようにしたものである。これらのケースは、単に外観を動物またはキャラクター風として、可愛らしいことを特徴とした収納ケースに過ぎず、収納ケース自体と携帯電話機本体、あるいは携帯電話機のディスプレイ表示との意匠的な関連性は全くなかった。【０００３】  そこで、携帯電話機のディスプレイ表示と、動物やキャラクター形状を呈するケースとが一体となって、ひとつのキャラクターを表現するようにしたものが考案されている。例えば、実用新案登録第３０８３３９４号公報（特許文献３）に開示された「収容装置」は、キャラクターの形状が施され、携帯端末のディスプレイが視認可能な開口部又は透明部が設けられた収容装置で、該収容装置に携帯端末が収容された状態で、携帯端末にキャラクターの一部の画像を表示させることにより、収容装置の開口部又は透明部から視認されるキャラクターの一部の画像と、収容装置に施されたキャラクターの形状とが一体となって一つのキャラクターを表現するようにしたものである。【０００４】  また昨今、スマートフォンなる携帯情報端末の人気が高まっている。スマートフォンは、音声通話機能以外に、インターネット接続、スケジュール管理、メモ帳など、ＰＤＡと同等の機能をもつ多機能型携帯電話で、本体表側のほぼ全面がタッチパネル式のディスプレイとなっている。これらスマートフォン用に開発されたケースも多々製品化されており、その多くは、スマートフォン本体の背面側から被せて装着するように箱状に形成されたもので、装着した際、表面側のディスプレイが露出するように構成されている。これらはケース自体の材質、カラー、表面処理（メッキ、印刷など）の違いにより、多数のバリエーションが存在する。なお、これらケースの先行技術としての特許文献は特に見あたらないのでここには示さない。
【先行技術文献】
【特許文献】
【０００５】
【特許文献１】  実用新案登録第３０４１８２９号公報
【特許文献２】  実用新案登録第３０６６５２９号公報
【特許文献３】  実用新案登録第３０８３３９４号公報
【考案の概要】
【考案が解決しようとする課題】
【０００６】  ところで、前記した先行技術３は、携帯電話機のディスプレイ表示と、動物やキャラクター形状を呈するケースとが一体となって、ひとつの動物やキャラクターを表現するようにしたものであるが、ケース全体が予め設定された動物やキャラクターを模して形成されているために、新たな動物やキャラクターでケースを作成しようとする場合は、それ毎に金型が必要となる。金型の製作は多大なコストを要し、容易に多数の動物やキャラクターのバリエーションを用意することは困難であるといった課題がある。また、動物やキャラクターの手足や耳などが膨出形成されているために、実際の使用においてはバッグやポケットなどへの収納や取り出し時に膨出形成された手や足が引っ掛かり、使い勝手が良いものとはいえない。【０００７】  そこで本考案は、これらの課題を解決するとともに、人形を備えた携帯機器のケースと、携帯機器のディスプレイ表示とを合わせることで、豊かな表情を演出し、極めて高い娯楽性と、使い勝手に優れた携帯機器の装飾ケースを実現した。
【課題を解決するための手段】
【０００８】  請求項１においては、携帯機器の背面と上下左右の周壁を覆い被せて装着し得るように箱状に形成されたケース本体と、該ケース本体の底部に人形部を備えたことで解決される。【０００９】  請求項２においては、該ケース本体の底部に備えられた該人形部は薄板状であることで解決される。【００１０】  請求項３においては、該ケース本体の底部に備えられた該人形部は立体状であることで解決される。【００１１】  請求項４においては、該ケース本体の底部に備えられた該人形部は、該ケース本体と一体成形、該ケース本体とは別体で成形し該ケースの成型時に二重成形、該ケース本体とは別体で成形し該ケース本体に備えられた穴や溝に差し込む、の何れかの手段で備えたことで解決される。【００１２】  請求項５においては、携帯機器の背面と上下左右の周壁を覆い被せて装着し得るように箱状に形成されたケース本体と、該ケース本体の底部には人形部を備えるとともに、該ケース本体に装着された携帯機器に、顔のイラストや写真などのスチール画像、あるいはアニメーションやムービーなどのシネ画像の何れかの顔画像ファイルを格納し、該ケース本体に該携帯機器を装着した状態で、該顔画像を携帯機器のディスプレイに表示することで解決される。
【考案の効果】
【００１３】  請求項１においては、携帯機器の背面と上下左右の周壁を覆い被せて装着し得るように箱状に形成されたケース本体と、該ケース本体の底部に人形部を備えて構成したので、該ケース本体に携帯機器を装着したときに、胴体としての人形部と、ケース本体に装着された頭部としての携帯機器とで、１つの完成された人形としての意匠を表すことになり、極めて面白く注目度の高い携帯機器の装飾ケースを実現した。【００１４】  請求項２においては、該ケース本体の底部に備えられた該人形部は薄板状として構成したので、可撓性を有しバッグやポケットに収納する際、適宜撓むことで収納の障害とならず、使い勝手の向上を実現した。【００１５】  請求項３においては、該ケース本体の底部に備えられた該人形部は立体状として構成したので、人形としてのリアリティ感を実現するとともに、ケース本体を持ったり故意に揺らしたりすると合わせて人形部も揺れるので、戯けた楽しさを演出することも実現した。【００１６】  請求項４においては、該ケース本体の底部に備えられた該人形部は、該ケース本体と一体成形、該ケース本体とは別体で成形し該ケースの成型時に二重成形、該ケース本体とは別体で成形し該ケース本体に備えられた穴や溝に差し込む、の何れかの手段で備えて構成したので、少ロット、低コストで容易に多くのバリエーションを制作することを実現した。【００１７】  請求項５においては、携帯機器の背面と上下左右の周壁を覆い被せて装着し得るように箱状に形成されたケース本体と、該ケース本体の底部には人形部を備えるとともに、該ケース本体に装着された携帯機器に、顔のイラストや写真などのスチール画像、あるいはアニメーションやムービーなどのシネ画像の何れかの顔画像ファイルを格納し、該ケース本体に該携帯機器を装着した状態で、該顔画像を携帯機器のディスプレイに表示するように構成したので、
該ケース本体に備えられた胴体としての人形部と、携帯機器のディスプレイに表示された顔画像とで、１つの完成された人形としての意匠を表すことはもとより、さらに顔画像によって豊かな表情を表現することを実現した。
【図面の簡単な説明】
【００１８】
【図１】本考案の使用状態を示す図である。
【図２】携帯機器の装着前の状態を示す図である。
【図３】実施例２の正面図と左側面図である。
【図４】実施例３の正面図と左側面図である。
【図５】図４のＡ部拡大図である。
【図６】実施例４の背面図である。
【考案を実施するための形態】
【実施例１】
【００１９】  次に、本考案の携帯機器の装飾ケースの第１の実施例について、図面を参照して詳細に説明する。図中（１）は、携帯機器の装飾ケースのケース本体、（３）は、携帯機器である。なお、携帯機器（３）は、図においてスマートフォンを用いて表した。【００２０】  図１は、使用状態を示す図であり、携帯機器（３）にケース本体（１）を装着した状態を表している。図２は、装着前の状態を示す図であり、本体（１）に携帯機器（３）を矢印で示す方向に嵌め込んで、携帯機器（３）の背面と上下左右の周壁（３ｂ）を覆い被せるように装着する。【００２１】  ケース本体（１）は、ポリウレタンやポリカーボネートなどの樹脂素材からなり、携帯機器（３）の背面と上下左右の周壁（３ａ）を覆い被せて装着し得るように箱状に形成されている。また、ケース本体（１）の底部（１ａ）には人形部（２）を備えた。【００２２】  人形部（２）は、頭部のない胴体として構成され、ケース本体（１）に、携帯機器（３）を装着したときに、胴体としての人形部（２）と、ケース本体（１）に装着された頭部としての携帯機器（３）とで、１つの完成された人形としての意匠を表すことになり、極めて面白く注目度の高い携帯機器の装飾ケースの実現を可能とした。
【実施例２】
【００２３】  本考案の第２の実施例について、図３を参照して詳細に説明する。本実施例においては、ケース本体（１）の底部（１ａ）に備えた人形部（２）を、薄板状として構成した。【００２４】  図３は、本実施例の正面図と左側面図である。図３の左側面図に表されるように、薄板状として構成された人形部（２）は、必然的に可撓性を有することになる。これによって、バッグやポケットに収納した際、適宜撓んで自然に折り畳まれることで収納の際の障害とならない。ケース本体（１）の底部（１ａ）に人形部（２）が備えられているにも係わらず、優れた使い勝手の携帯機器の装飾ケースの実現を可能とした。また、実施例１と同様に、ケース本体（１）に、携帯機器（３）を装着したときに、胴体としての人形部（２）と、ケース本体（１）に装着された頭部としての携帯機器（３）とで、１つの完成された人形としての意匠を表すことになり、極めて面白く注目度の高い携帯機器の装飾ケースの実現を可能とした。
【実施例３】
【００２５】  本考案の第３の実施例について、図４及び図５を参照して詳細に説明する。本実施例においては、ケース本体（１）の底部（１ａ）に備えた人形部（２１）を、立体状として構成した。【００２６】  図４は、本実施例の正面図と左側面図、図５は、図４のＡ部拡大図である。立体状に形成された人形部（２１）は、より人形としてのリアリティ感を実現した。また、ケース本体（１）との接続部において、可撓性を有するように薄板状部（２１ａ）が形成されている。これによって、バッグやポケットに収納した際、薄板状部（２１ａ）が適宜撓んで自然に折れることで収納の際の障害とならない。さらに、ケース本体（１）を手で持って揺らすと、薄板状部（２１ａ）によって人形部（２１）も揺れるので、コミカル感や楽しさを演出することも実現した。このように、ケース本体（１）の底部（１ａ）に立体状の人形部（２１）が備えられているにも係わらず、優れた使い勝手の携帯機器の装飾ケースの実現を可能とした。
【実施例４】
【００２７】  本考案の第４の実施例について、図６を参照して詳細に説明する。本実施例においては、該ケース本体（１）の底部に備えられた該人形部（２）、（２１）は、該ケース本体（１）と一体成形、該ケース本体（１）とは別体で成形し該ケースの成型時に二重成形、該ケース本体（１）とは別体で成形し該ケース本体（１）に備えられた穴や溝に差し込む、の何れかの手段で備えて構成した。【００２８】  図６は、本実施例の背面図である。図中、（Ａ）は該ケース本体（１）と一体成形によって人形部（２）、（２１）を備えた図、（Ｂ）は二重成形によって人形部（２）、（２１）を備えた図、（Ｃ）は別体として人形部（２）、（２１）を備えた図である。【００２９】  このような何れかの手段で該人形部（２）、（２１）を該ケース本体（１）に備えたことにより、人形部（２）が薄板状の場合では、例えばいくつかの人形の図柄を面付けして印刷を施した後にトムソン型で抜くことで、少ロット、低コストで多くのバリエーションの人形を制作することが可能となる。また、人形部（２１）が立体状の場合では、実質的に小さな立体であるので、例えばいくつかの形状の異なる人形を複数個取り型で成形することで、少ロット、低コストで多くのバリエーションを制作することが可能となる。さらに、該人形部（２）は、可撓性を有するように薄板状に形成され、該人形部（２１）は、該ケース本体（１）との接続部が可撓性を有するように薄板状部（２１ａ）が形成されているので、バッグやポケットに収納する際、適宜撓んで折れることで収納の障害とならない。
【実施例５】
【００３０】  本考案の第５の実施例について、図３及び図４を参照して詳細に説明する。本実施例においては、携帯機器の背面と上下左右の周壁を覆い被せて装着し得るように箱状に形成されたケース本体と、該ケース本体の底部には人形部を備えるとともに、該ケース本体に装着された携帯機器に、顔のイラストや写真などのスチール画像、あるいはアニメーションやムービーなどのシネ画像の何れかの顔画像ファイルを格納し、該ケース本体に該携帯機器を装着した状態で、該顔画像を携帯機器のディスプレイに表示するように構成した。【００３１】  図３及び図４は、実施例２及び実施例３の正面図と左側面図である。両図の正面図に表されるように、ケース本体（１）に装着された携帯機器（３）のディスプレイ（３ａ）に顔画像が表示されている。携帯機器（３）には、予め人形部（２）、（２１）の人形に適した顔のイラストや写真などのスチール画像（静止画）、アニメーションやムービーなどのシネ画像（動画）の何れかの顔画像ファイルを、携帯機器に備えられたカメラで撮影したり、画像作成ソフトを用いて作成したりして格納し、携帯機器（３）の待ち受け時、通話やメールの着信時などに顔画像ファイルがディスプレイ（３ａ）に表示されるように設定しておく。【００３２】  ディスプレイ（３ａ）に表示される顔画像がスチール画像の場合、特定の顔画像が表示されるようにしても良いし、複数の画像の全てあるいは選択された画像をスライドショーのように、順を追ったりランダムにしたりして表示されるようにしても良い。また、スチール画像であっても、例えば泣いている表情の画像から笑っている表情までの段階の複数の画像を早い速度で切り替わるように表示することにより、スチール画像であるにも係わらずあたかも泣いている表情から笑っている表情まで変化しているかの如く表示させることも可能である。【００３３】  他方、ディスプレイ（３ａ）に表示される顔画像がシネ画像の場合、アニメーションやムービーなどで短く構成すれば、動きのあるダイナミックな表情の変化を得ることができる。例えば、顔が変化することはもとより顔の背景も合わせて変化するようにすれば、よりダイナミックで豊かな表情の変化を得ることも可能である。【００３４】  以上のように本実施例では、ケース本体（１）に、携帯機器（３）を装着したときに、胴体としての人形部（２）と、携帯機器（３）のディスプレイ（３ａ）に表示された顔画像とで、１つの完成された人形としての意匠を表すことになり、極めて表現力が豊かで面白い携帯機器の装飾ケースの実現を可能とした。
【符号の説明】
【００３５】１              ケース本体
１ａ            底部
２              人形部
２１            人形部
２１ａ          薄板状部
３              携帯機器
３ａ            ディスプレイ
３ｂ            周壁
【図１】
0003164730.tif 000003
【図２】
0003164730.tif 000004
【図３】
0003164730.tif 000005
【図４】
0003164730.tif 000006
【図５】
0003164730.tif 000007
【図６】
0003164730.tif 000008